(57)【要約】  メディアサービスプレゼンテーション方法、通信システムおよび関連装置が提供され、メディアサービスプレゼンテーション方法は、メディアサービスプレゼンテーション情報を取得する過程と、前記メディアサービスプレゼンテーション情報に従ってユーザにメディアサービスを提示する過程と、を有する。メディアサービスプレゼンテーション情報を取得することによって、そのメディアサービスプレゼンテーション情報に従ってユーザにメディアサービスが提示される。このようにして、ＳＶＧを基にしたシーン記述が必ずしも必要でなくなり、そして、端末の計算処理を簡単にし、端末の性能を向上させ、かつ、ユーザ体験を向上させる。
2010534362.tif 000002
【特許請求の範囲】
【請求項１】
メディアサービスプレゼンテーション情報を取得する過程と、
前記メディアサービスプレゼンテーション情報に従ってユーザにメディアサービスを提示する過程と、
を有するメディアサービスプレゼンテーション方法。
【請求項２】
前記メディアサービスプレゼンテーション情報を取得する過程は、
プレゼンテーションテンプレート情報およびメディアコンテンツを取得する過程を有する請求項１に記載の方法。
【請求項３】
前記メディアサービスプレゼンテーション情報を取得する過程は、
サービスガイド（ＳＧ）情報を取得する過程をさらに有する請求項２に記載の方法。
【請求項４】
前記メディアサービスプレゼンテーション情報に従ってメディアサービスを提示する過程は、
前記ＳＧ情報および前記プレゼンテーションテンプレート情報に従ってプレゼンテーションスクリプト情報を生成する過程と、
前記プレゼンテーションスクリプト情報に従って前記ユーザに前記メディアコンテンツを提示する過程と、
を有する請求項３に記載の方法。
【請求項５】
前記ＳＧ情報および前記プレゼンテーションテンプレート情報に従ってプレゼンテーションスクリプト情報を生成する過程は、
前記ＳＧ情報を解析してＳＧデータを生成する過程と、
前記プレゼンテーションテンプレート情報に従って前記ＳＧデータを前記プレゼンテーションスクリプト情報に変換する過程と、
を有する請求項４に記載の方法。
【請求項６】
前記ＳＧ情報を取得する過程は、
ＦＬＵＴＥセッションのブロードキャストを通してＳＧサーバから前記ＳＧ情報を含む拡張マークアップ言語（ＸＭＬ）ファイルを受信する過程、または、
対話型ネットワークまたはブロードキャストネットワークから前記ＳＧ情報に関するエントリ情報を取得し、前記エントリ情報に従ってＳＧサーバのコンテンツを要求し、前記ＳＧサーバから前記ＳＧ情報を含むＸＭＬファイルを受信する過程、または、
ＦＬＵＴＥセッションのブロードキャストを通してＳＧサーバから圧縮されたＳＧ情報を含むＸＭＬファイルを受信し、前記圧縮されたＳＧ情報を復元して前記ＳＧ情報を取得する過程、または、
対話型ネットワークまたはブロードキャストネットワークを通して前記ＳＧ情報に関するエントリ情報を取得し、前記エントリ情報に従ってＳＧサーバのコンテンツを要求し、前記ＳＧサーバから圧縮されたＳＧ情報を含むＸＭＬファイルを受信し、前記圧縮されたＳＧ情報を復元して前記ＳＧ情報を取得する過程、
を有する請求項３に記載の方法。
【請求項７】
前記プレゼンテーションスクリプト情報はプレイヤーのフォーマットにおけるプレゼンテーションスクリプトファイルから導き出され、前記プレゼンテーションスクリプト情報に従ってユーザにメディアコンテンツを提示する過程は、前記プレイヤーを使用して前記プレゼンテーションスクリプト情報を再生し、前記ユーザに前記メディアコンテンツを提示する過程を含み、または、
前記プレゼンテーションスクリプト情報はブラウザのフォーマットにおけるプレゼンテーションスクリプトファイルから導き出され、前記プレゼンテーションスクリプト情報に従ってユーザにメディアコンテンツを提示する過程は、前記ブラウザを使用して前記プレゼンテーションスクリプト情報を再生し、前記ユーザに前記メディアコンテンツを提示する過程を有する請求項４に記載の方法。
【請求項８】
前記プレゼンテーションスクリプト情報を再生する過程は、
ビデオプレイヤーを呼び出して前記プレゼンテーションスクリプト情報を再生する過程、または、
埋め込まれたビデオプレイヤーを呼び出して前記プレゼンテーションスクリプト情報を再生する過程、または、
ネイティブアプリケーションモジュールによってユーザインタフェースに前記プレゼンテーションスクリプト情報を送信し、対応するグラフィカルユーザインタフェース（ＧＵＩ）を呼び出して前記グラフィカルユーザインタフェース上に前記プレゼンテーションスクリプトファイルを提示する過程、
を有する請求項７に記載の方法。
【請求項９】
ユーザに前記メディアコンテンツを提示する過程は、
ダウンロードエンジンを呼び出して対応するメディアコンテンツをダウンロードする過程と、
マルチメディアプレイヤーを呼び出して前記ダウンロードされたメディアコンテンツを再生する過程と、
を有する請求項２に記載の方法。
【請求項１０】
ユーザの対話の要求を受信し、前記要求を予め設定されたデータ伝送プロトコルを通してサーバに転送し、前記サーバから対話の応答を受信し、前記対話の応答に従って前記ユーザに前記メディアコンテンツを提示する過程、または、
端末から対話の要求を受信し、前記対話の要求に従って対応する対話情報を有効にし、かつ、編集し、前記サーバに前記編集された対話情報を送信し、前記サーバから対話の応答を受信し、前記対話の応答に従って対応するメディアコンテンツを前記ユーザに提示する過程、
をさらに有する請求項１に記載の方法。
【請求項１１】
前記メディアサービスプレゼンテーション情報を取得する過程は、
プレゼンテーションスクリプト情報を含むプレゼンテーションファイルおよびメディアコンテンツを取得する過程を有する請求項１に記載の方法。
【請求項１２】
ユーザに前記メディアコンテンツを提示する過程は、
前記プレゼンテーションファイルから前記プレゼンテーションスクリプト情報を取得する過程と、
ビデオプレイヤーまたはブラウザを呼び出して前記プレゼンテーションスクリプト情報を再生する過程と、
前記ユーザのために対応するメディアコンテンツを再生する過程と、
を有する請求項１１に記載の方法。
【請求項１３】
前記プレゼンテーションファイルはストリームプロトコルを通して伝送され、または、前記プレゼンテーションファイルはダウンロードプロトコルを通して伝送され、または、前記プレゼンテーションファイルはプッシュメカニズム、ＤＣＤ配送メカニズム、または、リアルタイム通信メカニズムによって伝送される請求項１１に記載の方法。
【請求項１４】
サービスガイド（ＳＧ）情報を含む拡張マークアップ言語（ＸＭＬ）ファイルを配送するように構成されたＳＧサーバと、
プレゼンテーションテンプレート情報を配送するように構成されたプレゼンテーションサーバと、
前記プレゼンテーションサーバからのプレゼンテーションテンプレート情報および前記ＳＧサーバからのＳＧ情報に従ってプレゼンテーションスクリプト情報を生成し、ユーザにプレゼンテーションスクリプト情報を提示するように構成された端末と、
を備える通信システム。
【請求項１５】
端末にメディアコンテンツを配送するように構成されたコンテンツサーバをさらに備える請求項１４に記載の通信システム。
【請求項１６】
サービスガイド（ＳＧ）情報およびプレゼンテーションテンプレート情報を取得し、前記ＳＧ情報および前記プレゼンテーションテンプレート情報に従ってプレゼンテーションスクリプト情報を生成し、前記プレゼンテーションスクリプト情報を含むプレゼンテーションファイルを配送するように構成された移動マルチメディアプレゼンテーションシステムと、
前記移動マルチメディアプレゼンテーションシステムにおけるプレゼンテーションファイルから取得されたプレゼンテーションスクリプト情報を受信し、ユーザに前記プレゼンテーションスクリプト情報を提示するように構成された端末と、
を備える通信システム。
【請求項１７】
前記端末にメディアコンテンツを配送するように構成されたコンテンツサーバをさらに備える請求項１６に記載の通信システム。
【請求項１８】
サービスガイド（ＳＧ）情報、プレゼンテーションテンプレート情報、および、メディアコンテンツを取得するように構成された取得部と、
前記取得部によって取得されたプレゼンテーションテンプレート情報およびＳＧ情報に従ってプレゼンテーションスクリプト情報を生成するように構成されたスクリプト生成部と、
前記スクリプト生成部によって生成されたプレゼンテーションスクリプト情報を通してユーザに前記メディアコンテンツを提示するように構成されたプレゼンテーション部と、
を備える端末。
【請求項１９】
前記スクリプト生成部は、
前記ＳＧ情報をＳＧデータに解析するように構成された解析部と、
前記取得部によって取得されたプレゼンテーションテンプレート情報に従って前記ＳＧデータを前記プレゼンテーションスクリプト情報に変換するように構成された生成部と、
を備える請求項１８に記載の端末。
【請求項２０】
予め設定されたデータ伝送プロトコルに従ってサーバと通信するように構成されたネットワーク通信部と、
前記ネットワーク通信部によってＳＧ情報を取得および維持するように構成されたサービスガイド（ＳＧ）エンジンと、
前記ＳＧエンジンによって取得および維持されたＳＧ情報をユーザに提示するように構成されたマルチメディアプレゼンテーションのためのアプリケーション部と、
を備える端末。
【請求項２１】
前記ＳＧエンジンは、
前記受信されたＳＧ情報をＳＧデータに解析するように構成されたＳＧ解析部と、
前記マルチメディアプレゼンテーションのためのアプリケーション部を制御して前記ＳＧ解析部によって解析されたＳＧデータをユーザに提示するように構成されたＳＧプレゼンテーションのための制御部と、
を備える請求項２０に記載の端末。
【請求項２２】
前記ユーザによって要求されたメディアコンテンツをダウンロードするように構成されたダウンロードエンジンと、
前記ユーザのために前記ダウンロードされたメディアコンテンツを再生するように構成されたマルチメディア再生部と、
をさらに備える請求項２０または２１に記載の端末。
【請求項２３】
前記メディアコンテンツが再生されるとき、前記端末と前記サーバとの間の対話情報を配送するように構成された対話部をさらに備える請求項２０に記載の端末。
【請求項２４】
前記ユーザのためにプレゼンテーションスクリプトファイルを再生するように構成されたサービスプレイヤーをさらに備え、該プレゼンテーションスクリプトファイルはプレイヤーのフォーマットであり、
前記ユーザのためにプレゼンテーションスクリプトファイルを再生するように構成されたブラウザをさらに備え、該プレゼンテーションスクリプトファイルはブラウザのフォーマットである請求項２０に記載の端末。
【発明の詳細な説明】
【技術分野】
【０００１】
本発明は、通信の分野に関し、特に、メディアサービスプレゼンテーション方法および通信システムおよび関連装置に関する。
【背景技術】
【０００２】
先行技術におけるマルチメディア移動サービスプレゼンテーションの方法は、通常、リッチメディア環境（ＲＭＥ）で実現される。さらに、実際のＲＭＥにおいてＬＡＳｅＲ（lightweight application scene representation）技術が広く使用されている。以下、以前の技術的解決策を簡単に説明する。
【０００３】
ＬＡＳｅＲは、２次元シーンをバイナリ形式にエンコードし、更新されたシーンを記述するためにシーン記述言語を利用する。シーン記述のためのこのバイナリ言語およびそのＳＶＧ−Ｔ（Scalable Vector Graphics Tiny）を基にした設計は、携帯電話のようないくつかの携帯機器に適用可能である。さらに、ＬＡＳｅＲは、通常、ＳＡＦ（simple aggregation format）とともに動作する。
【０００４】
カプセル化フォーマットとして、ＳＡＦは、データストリームプロトコル上での伝送のためにＬＡＳｅＲシーンデータおよびオーディオ・ビデオコンテンツをパックする。ＳＡＦは、メディア記述シーンのためのＲＭＥサービスの全ての要求条件を満たし、既存の伝送プロトコルとインタフェースすることができる。
【０００５】
先行技術のメディアサービスプレゼンテーション方法は次を含む。
ステップ１：シーン記述およびメディアストリームがＳＡＦカプセル化を通して端末に配送される。
シーン記述は、シーン記述のフォーマットを書き出すためにＳＶＧ言語を利用し、ＬＡＳｅＲのいくつかの拡張命令を使用し、バイナリエンコード処理を実行し、そして、ＳＡＦカプセル化を実現し、それを端末に送信する。
ステップ２：端末がＳＡＦパケットを受信した後、シーン記述データおよびメディアデータが解析され、そして、拡張マークアップ言語（ＸＭＬ）フォーマットでバイナリシーン記述が提示される。
【発明の概要】
【発明が解決しようとする課題】
【０００６】
しかしながら、先行技術は、主に画像を処理するために採用されるＳＶＧ言語でシーンを記述する。その結果、端末は、シーン記述データおよびメディアデータを取得するために大量の分析を生じ、従って、端末の性能およびユーザ体験を劣化させる。
【課題を解決するための手段】
【０００７】
ユーザ体験を向上させるために、本発明の実施形態において、メディアサービスプレゼンテーション方法および通信システムおよび関連装置が提供される。
【０００８】
本発明の一実施形態においてメディアサービスプレゼンテーション方法が提供される。前記方法は、
メディアサービスプレゼンテーション情報を取得する過程と、
前記メディアサービスプレゼンテーション情報に従ってユーザにメディアサービスを提示する過程と、を有する。
【０００９】
本発明の一実施形態において通信システムが提供される。前記システムは、
サービスガイド（ＳＧ）情報を含むＸＭＬドキュメントを配送するように構成されたＳＧサーバと、
プレゼンテーションテンプレート情報を配送するように構成されたプレゼンテーションサーバと、
前記プレゼンテーションサーバからのプレゼンテーションテンプレート情報および前記ＳＧサーバからのＳＧ情報に従ってプレゼンテーションスクリプト情報を生成し、ユーザにプレゼンテーションスクリプト情報を提示するように構成された端末と、を備える。
【００１０】
本発明の一実施形態において端末が提供される。この端末は、
ＳＧ情報、プレゼンテーションテンプレート情報、および、メディアコンテンツを取得するように構成された取得部と、
前記取得部によって取得されたプレゼンテーションテンプレート情報およびＳＧ情報に従ってプレゼンテーションスクリプト情報を生成するように構成されたスクリプト生成部と、
前記スクリプト生成部によって生成されたプレゼンテーションスクリプト情報を通してユーザに前記メディアコンテンツを提示するように構成されたプレゼンテーション部と、を備える。
【００１１】
本発明の一実施形態において端末が提供される。この端末は、
予め設定されたデータ伝送プロトコル上でサーバと通信するように構成されたネットワーク通信部と、
前記ネットワーク通信部によってＳＧ情報を取得および維持するように構成されたＳＧエンジンと、
前記ＳＧエンジンによって取得および維持されたＳＧ情報をユーザに提示するように構成されたマルチメディアプレゼンテーションのためのアプリケーション部と、を備える。
【発明の効果】
【００１２】
以前の技術的解決策は、本発明の実施形態が次の効果を有することを示す。
メディアサービスプレゼンテーション情報を取得することによって、メディアサービスプレゼンテーション情報に従ってユーザにメディアサービスが提供される。このようにして、ＳＶＧを基にしたシーン記述が必ずしも必要でなくなる。本発明は、端末の計算を簡単にし、端末の性能を向上させ、かつ、ユーザ体験を向上させるために役立つ。
【図面の簡単な説明】
【００１３】
【図１】本発明における通信システムの第１実施形態を表わす。
【図２】本発明における通信システムの第２実施形態を表わす。
【図３】本発明の一実施形態における端末の第１実施形態を表わす。
【図４】本発明の一実施形態における端末の第２実施形態を表わす。
【図５】本発明の全体の実施形態におけるメディアサービスプレゼンテーション方法を表わす。
【図６】本発明の一実施形態におけるメディアサービスプレゼンテーション方法の第１実施形態を表わす。
【図７】本発明の一実施形態におけるメディアサービスプレゼンテーション方法の第２実施形態を表わす。
【図８】本発明の一実施形態におけるメディアサービスプレゼンテーション方法の第３実施形態を表わす。
【図９】本発明の一実施形態におけるメディアサービスプレゼンテーション方法の第４実施形態を表わす。
【図１０】本発明の一実施形態におけるメディアサービスプレゼンテーション方法の第５実施形態を表わす。
【発明を実施するための形態】
【００１４】
本発明の一実施形態において、ユーザ体験を向上させることができるメディアサービスプレゼンテーション方法および通信システムおよび関連装置が提供される。
【００１５】
本発明の一実施形態において、端末はＳＧを含む関連情報および番組データを取得するために提供され、端末はユーザに受信されたＳＧコンテンツを提示し、ユーザは端末によって提示されたＳＧコンテンツを閲覧し、移動マルチメディアサービスを選択し、端末はユーザの選択に従って対応するメディアコンテンツを提示する。
【００１６】
本発明は、ＳＶＧを基にしたシーン記述の必要をなくし、従って、端末の計算処理を簡単にし、端末の性能を向上させ、かつ、ユーザ体験を向上させる。
【００１７】
図１に表わされているように、本発明の続く実施形態において通信システムが説明される。本発明における通信システムの第１実施形態は、
ＳＧ情報を含むＸＭＬドキュメントを配送するように構成されたＳＧサーバ１０１と、
プレゼンテーションテンプレート情報を配送するように構成されたプレゼンテーションサーバ１０２と、
受信されたプレゼンテーションテンプレート情報およびＳＧ情報に従ってプレゼンテーションスクリプト情報を生成し、ユーザにこのプレゼンテーションスクリプト情報を提供するように構成された端末１０３と、
端末１０３にメディアコンテンツを配送するように構成されたコンテンツサーバ１０４と、
を備える。
【００１８】
この実施形態において、端末１０３によって取得されたメディアコンテンツはコンテンツサーバ１０４から転送される。従って、メディアコンテンツは、実際の実現においてコンテンツサーバ１０４なしで端末１０３内に直接に予め設定されうることが理解される。
【００１９】
実際の適用において独立のサーバは全ての機能を実行する責任を負わず、図２に表わされているように、サーバはそれらの役割に従って論理的または物理的に統合されうる。本発明における通信システムの第２実施形態は、
ＳＧ情報およびプレゼンテーションテンプレート情報を取得し、受信されたプレゼンテーションテンプレート情報およびＳＧ情報に従ってプレゼンテーションスクリプト情報を生成し、そのプレゼンテーションスクリプト情報を含むプレゼンテーションファイルを配送するように構成された移動マルチメディアプレゼンテーションシステム２０１と、
受信されたプレゼンテーションファイルに従ってプレゼンテーションスクリプト情報を生成し、ユーザにそのプレゼンテーションスクリプト情報を提示するように構成された端末２０２と、
端末にメディアコンテンツを配送するように構成されたコンテンツサーバ２０３と、
を備える。
【００２０】
この実施形態において、端末２０２によって取得されたメディアコンテンツはコンテンツサーバ２０３から伝送される。従って、メディアコンテンツは、実際の適用においてコンテンツサーバ２０３なしで端末２０２内に直接に予め設定されうることが理解される。
【００２１】
この実施形態は、通信システムの第１実施形態からのＳＧサーバおよびプレゼンテーションサーバの機能を移動マルチメディアプレゼンテーションシステム２０１に統合することによって実現される。
【００２２】
端末は、最後に、ユーザにメディア情報を提示する。図３に表わされているように、本発明の一実施形態におけるサーバの実施形態が詳しく説明される。本発明の一実施形態における端末の第１実施形態は、
ＳＧ情報、プレゼンテーションテンプレート情報、および、メディアコンテンツを取得するように構成された取得部３０１と、
プレゼンテーションテンプレート情報およびＳＧ情報に従ってプレゼンテーションスクリプト情報を生成するように構成されたスクリプト生成部３０２と、
プレゼンテーションスクリプト情報を通してユーザにメディアコンテンツを提示するように構成されたプレゼンテーション部３０３と、
を備える。
【００２３】
スクリプト生成部３０２は、
ＳＧ情報をＳＧデータに解析するように構成された解析部３０２１と、
プレゼンテーションテンプレート情報に従ってＳＧデータをプレゼンテーションスクリプト情報に変換するように構成された生成部３０２２と、
を備える
【００２４】
図４を参照する。本発明の一実施形態における端末の第２実施形態は、
ＳＧ情報を取得および維持するように構成されたＳＧエンジン４０１と、
ユーザにＳＧ情報を提示するように構成されたマルチメディアプレゼンテーションのためのアプリケーション部４０２と、
予め設定されたデータ伝送プロトコルに従ってサーバと通信するように構成されたネットワーク通信部４０３と、
ユーザによって要求されたメディアコンテンツをダウンロードするように構成されたダウンロードエンジン４０４と、
ユーザのためにダウンロードされたメディアコンテンツを再生するように構成されたマルチメディア再生部４０５と、
メディアコンテンツが再生されるとき、端末とサーバの間の対話情報を配送するように構成された対話部４０６と、
ユーザのためにプレゼンテーションスクリプトファイルを再生するように構成されたサービスプレイヤー４０７と、を備え、プレゼンテーションスクリプトファイルはプレイヤーのフォーマットであり、
ユーザのためにプレゼンテーションスクリプトファイルを再生するように構成されたブラウザ４０８をさらに備え、プレゼンテーションスクリプトファイルはブラウザのフォーマットに適合する。
【００２５】
ＳＧエンジン４０１は、
受信されたＳＧ情報をＳＧデータに解析するように構成されたＳＧ解析部４０１２と、
マルチメディアプレゼンテーションのためのアプリケーション部４０２を制御してユーザのためにＳＧを提示するように構成されたＳＧプレゼンテーションのための制御部４０１１と、
を備える。
【００２６】
この実施形態において、ＳＧエンジン４０１、マルチメディアプレゼンテーションのためのアプリケーション部４０２、ネットワーク通信部４０３を用いることによって、端末はユーザにＳＧ情報を表示する。しかし、ユーザは、マルチメディアコンテンツをダウンロードおよび再生するために、ダウンロードエンジン４０４およびマルチメディア再生部４０５を必要とする。サーバとの通信のために、ユーザは、さらに、対話部４０６を必要とする。
【００２７】
図５に表わされているように、本発明の続く実施形態においてメディアプレゼンテーション方法を詳しく説明する。本発明の一実施形態におけるメディアプレゼンテーション方法のフローチャートは次を含む。
ステップ５０１：ＳＧ情報が取得される。
ステップ５０２：プレゼンテーションテンプレート情報が取得される。
ステップ５０３：メディアコンテンツが取得される。
ステップ５０４：ＳＧ情報およびプレゼンテーションテンプレート情報に従ってプレゼンテーションスクリプト情報が生成される。
ステップ５０５：プレゼンテーションスクリプト情報に従ってメディアコンテンツが提示される。
【００２８】
この実施形態において、情報を取得する具体的な方法は、ステップ５０１、５０２、５０３の順序に限定されない。続く実施形態は、これら３つのステップの順序を詳しく説明する。
ステップ５０１およびステップ５０３は任意選択である。すなわち、ＳＧおよびメディアコンテンツを取得する方法は本実施形態に限定されず、ステップ５０１および５０３は状況に応じて実行される。
【００２９】
本発明の実施形態におけるメディアサービスプレゼンテーション方法は３つのカテゴリに分けることができる。
【００３０】
I．以下、プレイヤーを基にしたメディアプレゼンテーションの形態を詳しく述べる。
図６を参照する。本発明の一実施形態におけるメディアサービスプレゼンテーション方法の第１実施形態は次を含む。
【００３１】
ステップ６０１：ＳＧサーバからＳＧ情報が取得される。
この実施形態において、ＳＧ情報は２つの形態：ブロードキャストおよび対話型で送信される。
【００３２】
ブロードキャストの形態でＳＧを探索する：ＳＧのブートストラップセッション（bootstrap session）を伝達するパブリックアドレスは、端末が、異なる運営者からＳＧのアクセス情報を見つけることを可能とする。端末はこのアクセス情報に従ってＳＧの宣言セッション（assert session）を見つけ、宣言セッションにおいて伝送されるＳＧの送信記述子を取得する。例えば、その記述子は、ＦＬＵＴＥ（File Delivery over Unidirectional Transport）セッションのエントリアドレスを見つけ、さらに、ＳＧ情報からコンテンツを取得することができる。
ブロードキャストの形態でＳＧを送信する：ＳＧ伝送部は、ブロードキャストの形態でＳＧを送信するために、１つまたは複数のＦＬＵＴＥセッションの中でデータを送信する。
【００３３】
対話型の経路は全部のＳＧ情報を取得することができ、また、要求されるＳＧ情報の一部の探索および取得において端末を補助することができる。
対話型のＳＧは２つの方法で発見される。
１．ＳＧのエントリ情報について対話型ネットワークを探索する。
端末ユーザは対話型ネットワークを通して既知のＳＧポータルを訪問し、好みのＳＧ情報を訪問およびダウンロードすることを選択する。
２．対話型のＳＧ情報についてブロードキャストネットワークを探索する。
端末ユーザはブロードキャストネットワークからブートストラップセッションを受信する。サービスナビゲーションサーバが対話型のＳＧを提供するならば、端末ユーザはブートストラップセッションから対話型のＳＧのエントリ情報を取得し、ポータルを通してＳＧを訪問およびダウンロードすることができる。
【００３４】
対話型のＳＧは次の方法で伝送および取得される：端末は、ＨＴＴＰ ＧＥＴまたはＨＴＴＰ ＰＯＳＴを通してＳＧサーバの問い合わせされたコンテンツを要求する。要求を受信した後、ＳＧサーバはＨＴＴＰ応答を通してペイロード内で対応するＳＧデータを返送する。端末は、１つの対話を通して、チャネルまたは番組についての情報のようなＳＧ情報の全部または一部を取得することができる。
【００３５】
ステップ６０２：プレゼンテーションサーバからプレゼンテーションテンプレート情報が取得される。
この実施形態において、プレゼンテーションサーバからプレゼンテーションテンプレート情報が取得される。従って、プレゼンテーションサーバが設置されないならば、プレゼンテーションテンプレート情報は端末内に予め設定されうることが理解される。
プレゼンテーションサーバを用いて、ユニキャストまたはマルチキャストを通してプレゼンテーションテンプレート情報を取得することができる。
【００３６】
１．ユニキャスト
プッシュメカニズム：ＳＭＩＬ（Synchronized Multimedia Integration Language）、ＳＶＧまたはＦｌａｓｈ Ｌｉｔｅの実装は、プレゼンテーションサーバが、端末にプレゼンテーションテンプレート情報を配送することを要求する。プレゼンテーションテンプレート情報が一方向にユニキャストされるので、端末に情報を直接に伝送するためにプッシュ方式が使用される。プッシュ方式を使用するが、端末の機能に従って必要なプレゼンテーションテンプレート情報を配送する。
コンテンツ配送メカニズムはＤＣＤ（dynamic content delivery）を含む。ＤＣＤはコンテンツ配送メカニズムを定義し、これは加入者のコンテンツを定期的に配送するように設計される。
インターネットプロトコルはハイパーテキスト伝送プロトコル（ＨＴＴＰ）を含む。プッシュメカニズムを通して関係するプレゼンテーションテンプレート情報を受動的に取得することに加えて、端末は、また、プルメカニズムを使用して、ＨＴＴＰまたはＳＩＰ（session initiation protocol）のようなインターネットプロトコルを通して関係するプレゼンテーションテンプレート情報を取得する。プレゼンテーションテンプレート情報を取得する一方、プルメカニズムは必要ならば関係するコンテンツも取得する。従って、本発明の一実施形態におけるメディアサービスプレゼンテーション方法はネットワークデータ送信トラフィックを減少させ、効率を向上させるために役立つ。
メッセージメカニズムはＭＭＳ（Multimedia Messaging Service）、ＳＭＳ（Short Message Service）、または、ＩＭ（Instant Messaging）を含む。上述したメカニズムに加えて、メッセージメカニズムはプレゼンテーションテンプレート情報を伝達することもできる。
【００３７】
２．マルチキャスト
この方法は２つのカテゴリに分けられる：全ての移動マルチメディアサービスの伝送、すなわち、移動マルチメディアサービスのアクセスレイヤを通した伝送、および、アクセスレイヤに独立な他の種類の伝送、すなわち、ＦＬＵＴＥのようなＩＰマルチキャスト技術を通したファイル転送。
【００３８】
具体的に、移動マルチメディアサービスのアクセスレイヤを通したマルチキャストは、ＤＶＢ−Ｈ（Digital Video Broadcasting - Handheld）、ＭＢＭＳ（Multimedia Broadcast and Multicast Service）からＢＣＭＣＳ（Broadcast/Multicast Services）に及ぶいくつかの技術を含む。
アクセスレイヤに独立なマルチキャストはＦＬＵＴＥ技術によって実現される。
【００３９】
ステップ６０３：コンテンツサーバからメディアコンテンツが取得される。
この実施形態において、コンテンツサーバからメディアコンテンツが取得される。メディアコンテンツは、実際の適用においてコンテンツサーバなしで端末内に直接に予め設定されうることが理解される。
【００４０】
ステップ６０４：ＳＧデータを生成するためにＳＧ情報が解析される。すなわち、ＳＧデータを生成するために受信されたＳＧ情報が解析される。
【００４１】
ステップ６０５：ＳＧデータおよびプレゼンテーションテンプレート情報に従ってプレゼンテーションスクリプト情報が生成される。
この実施形態において、プレゼンテーションスクリプト情報を生成するために、プレゼンテーションテンプレート情報に関する規則に従って、対応する位置に取得されたＳＧが満たされ、これはＳＭＩＬ、ＳＶＧ、または、Ｆｌａｓｈ Ｌｉｔｅを提示するために使用される。
この実施形態において、プレゼンテーションテンプレート情報は、規則ファイルまたは他の任意のファイルのいずれかでありうる。向上した実現可能性のために、ＳＭＩＬのＸＭＬスキーマまたはＸＭＬ ＤＴＤ形式に適合するようにプレゼンテーションテンプレート情報を構成することができ、これはＸＭＬファイルを特徴付ける。端末がＳＧデータを読み出した後、端末は、ＳＭＩＬスクリプトのＸＭＬスキーマまたはＤＴＤに従って、正確なＳＭＩＬスクリプトを生成する。
【００４２】
ステップ６０６：プレイヤーによってプレゼンテーションスクリプトファイルが再生される。
この実施形態において、プレイヤーを使用することによって、端末はユーザにメディアコンテンツを表示し、これはステップ６０５において生成されたフォーマットにおけるプレゼンテーションスクリプトファイルである。
【００４３】
ステップ６０７：ユーザの選択に従ってメディアコンテンツが再生される。
ステップ６０６で説明したように、プレイヤーで再生される移動マルチメディアサービスコンテンツは主にＳＧのコンテンツに関する。ユーザが移動マルチメディアコンテンツをクリックするとき、端末は対応するプレイヤーを呼び出して映像コンテンツのようなメディアコンテンツを再生する。この方法は次の２つの方法で実現される。
１．スクリプトプレイヤーによって映像プレイヤーを呼び出す。マルチメディアサービスプレゼンテーションのためにプレイヤーの対応する領域においてユーザがクリックし、映像プレイヤーの呼び出しが開始されるとき、端末のソフトウェアシステムは対応する映像プレイヤーを実行し、スクリプトプレイヤーを一時停止する。
２．スクリプトプレイヤー内に映像プレイヤーを埋め込む。プレゼンテーションインタフェースが映像プレイヤー内に埋め込まれるならば、スクリプトプレイヤーは同時に実行される。映像を見る間、端末ユーザは他の情報を閲覧することもできる。
【００４４】
この実施形態において、ＳＧサーバ、プレゼンテーションサーバ、および、コンテンツサーバは互いから独立している。独立のサーバは全ての機能を実行する責任を負わず、サーバはそれらの役割に従って論理的または物理的に統合されうることが理解される。例えば、ＳＧサーバおよびプレゼンテーションサーバは移動マルチメディアプレゼンテーションシステムに統合されうる。
【００４５】
移動マルチメディアプレゼンテーションシステムはＳＧ情報およびプレゼンテーションテンプレート情報を取得し、ＳＧ情報を解析してＳＧデータを生成する。プレゼンテーションスクリプト情報を生成するためにプレゼンテーションテンプレート情報に関する規則に従って、対応する位置に取得されたＳＧデータが満たされ、これはＳＭＩＬ、ＳＶＧ、または、Ｆｌａｓｈ Ｌｉｔｅを表示するために使用される。
【００４６】
プレゼンテーションスクリプト情報を生成した後、移動マルチメディアプレゼンテーションシステムはプレゼンテーションスクリプト情報をプレゼンテーションファイルに追加し、端末にそのファイルを伝送し、そのファイルは配送前に圧縮することができる。
特に、プレゼンテーションファイルはユニキャストまたはマルチキャスト／ブロードキャストすることができる。
【００４７】
プレゼンテーションファイルは次の技術によってユニキャストすることができる。
一般的なプッシュ技術およびＳＩＰプッシュ技術を含むプッシュ、
ＨＴＴＰのようなインターネットプロトコル、
ＭＭＳおよびＩＭのような技術、
ＰＳＳ（Packet switched Streaming Service）（ストリーミング）のＲＴＰ（Real-time Transport Protocol）／ＲＴＣＰ（Real-time Transport Control Protocol）技術。
【００４８】
プレゼンテーションファイルは次の技術によってマルチキャストすることができる。
ＤＶＢ−Ｈのメディアストリーム／ＦＬＵＴＥ技術、
ＭＢＭＳのメディアストリーム／ＦＬＵＴＥ技術、
ＢＣＭＣＳのメディアストリーム／ＦＬＵＴＥ技術、
ＩＰを基にしたＦＬＵＴＥ技術。
【００４９】
プレゼンテーションファイルを受信した後、端末はファイルを復元し、プレイヤーの提示のために元のプレゼンテーションスクリプトファイルを回復する。例えば、ＳＭＩＬ方式を用いる。ＳＭＩＬスクリプトファイルは、復元の後、ＳＭＩＬプレイヤーのために回復される。端末は対応するメディアプレイヤーに回復されたスクリプトファイルを伝送する。
【００５０】
対応する移動マルチメディアサービスに関するプレゼンテーションスクリプトファイルを受信した後、メディアプレイヤーはメディアコンテンツを再生し、ユーザに移動マルチメディアサービスの関係するコンテンツを表示する。
【００５１】
ステップ６０７と同様に、ここでは、メディアコンテンツを再生する手順は省略する。
【００５２】
この実施形態において、ユーザは次のようにサーバと通信することもできる。
メディアコンテンツが提示されるとき、端末によって対話の要求を送信し、
対話情報が有効にされることを選択し、端末によって要求されたように対話情報を編集し、
サーバに完成した対話情報を送信し、
サーバによって端末に対話の応答を返送し、
対話の応答に従ってユーザにこのメディアコンテンツを提示する。
【００５３】
ＳＧおよびメディアコンテンツを取得するための方法はこの実施形態に限定されず、状況に応じて実現することができる。
この実施形態において、データ送信の量を減少させ、ネットワーク性能を向上させるために、配送前にプレゼンテーションファイルを圧縮することができる。
さらに、この実施形態においてユーザとサーバの間の対話は、ユーザ体験を向上させるために役立つ。
【００５４】
II．ブラウザを基にしたメディアプレゼンテーションの形態を以下で詳しく説明する。
図７を参照する。本発明の一実施形態におけるメディアサービスプレゼンテーション方法の第２実施形態は次を含む。
【００５５】
ステップ７０１：ＳＧサーバからＳＧ情報が取得される。
この実施形態において、ＳＧ情報は２つの形態：ブロードキャストおよび対話型で送信される。
【００５６】
ブロードキャストの形態でＳＧを探索する：ＳＧのブートストラップセッションを伝達するパブリックアドレスは、端末が、異なる運営者からＳＧのアクセス情報を見つけることを可能とする。端末はこの情報に従ってＳＧの宣言セッションを見つけ、そのセッションを通してＳＧの送信記述子を取得する。例えば、その記述子は、ＦＬＵＴＥのエントリアドレスを見つけ、さらに、ＳＧ情報のコンテンツを取得することができる。
ブロードキャストの形態でＳＧを送信する：ＳＧ伝送部は、ＳＧをブロードキャストするために、１つまたは複数のＦＬＵＴＥセッションの中で情報を送信する。
【００５７】
対話型の経路は全部のＳＧ情報を取得することができ、また、要求されるＳＧ情報の一部の探索および取得において端末を補助することができる。
対話型のＳＧは２つの方法で発見される。
１．対話型ネットワークからＳＧのエントリ情報を探索する。
端末ユーザは対話型ネットワークを通して既知のＳＧポータルを訪問し、好みのＳＧ情報を訪問およびダウンロードすることを選択する。
２．対話型のＳＧ情報についてブロードキャストネットワークを探索する。
端末はブロードキャストネットワークからブートストラップセッションを受信する。サービスナビゲーションサーバが対話型のＳＧを提供するならば、端末ユーザはブートストラップセッションを通して対話型のＳＧに関するエントリ情報を取得し、そしてポータルからＳＧを訪問およびダウンロードすることができる。
【００５８】
対話型のＳＧは次の方法で伝送および取得される：端末は、ＨＴＴＰ ＧＥＴまたはＨＴＴＰ ＰＯＳＴを通してＳＧサーバのコンテンツを要求する。要求を受信した後、ＳＧサーバはＨＴＴＰ応答を通してペイロード内で対応するＳＧデータを返送する。端末は、１つの対話を通して、チャネルまたは番組に関する情報を含むＳＧ情報の全部または一部を取得することができる。
【００５９】
ステップ７０２：プレゼンテーションサーバからプレゼンテーションテンプレート情報が取得される。
この実施形態において、プレゼンテーションサーバからプレゼンテーションテンプレート情報が取得される。従って、プレゼンテーションサーバが設置されないならば、プレゼンテーションテンプレート情報は端末内に予め設定されうることが理解される。
プレゼンテーションサーバを用いて、ユニキャストまたはマルチキャストを通してプレゼンテーションテンプレート情報が取得される。
【００６０】
１．ユニキャスト
プッシュメカニズム：ＨＴＭＬ（Hyper Text Markup Language）またはＸＨＴＭＬ（Extensible Hyper Text Markup Language）の実装は、プレゼンテーションサーバが、端末にプレゼンテーションテンプレート情報を配送することを要求する。プレゼンテーションテンプレート情報がユニキャストを通して一方向に配送されるので、端末に情報を直接に伝送するためにプッシュ方式が使用される。プッシュ方式が与えられると、端末は、端末の機能に従って必要なプレゼンテーションテンプレート情報を配送するように構成される。
コンテンツ配送メカニズムはＤＣＤを含む。ＤＣＤはコンテンツ配送メカニズムを定義し、これは加入者のコンテンツを定期的に配送するように設計される。
インターネットプロトコルはハイパーテキスト伝送プロトコル（ＨＴＴＰ）を含む。プッシュメカニズムを通して関係するプレゼンテーションテンプレート情報を受動的に取得することに加えて、端末は、また、プルメカニズムを使用して、ＨＴＴＰまたはＳＩＰのようなインターネットプロトコルを通して関係するプレゼンテーションテンプレート情報を取得する。プレゼンテーションテンプレート情報を取得する一方、プルメカニズムは必要ならば関係するコンテンツも取得する。従って、本発明の一実施形態におけるメディアサービスプレゼンテーション方法はネットワークデータ送信トラフィックを減少させ、効率を向上させるために役立つ。
メッセージメカニズムはＭＭＳ、ＳＭＳ、または、ＩＭを含む。上述したメカニズムに加えて、メッセージメカニズムはプレゼンテーションテンプレート情報を伝達することもできる。
【００６１】
２．マルチキャスト
この方法は２つのカテゴリに分けられる：全ての移動マルチメディアサービスの伝送、すなわち、移動マルチメディアサービスのアクセスレイヤを通した伝送、および、アクセスレイヤに独立な他の種類の伝送、すなわち、ＦＬＵＴＥのようなＩＰマルチキャスト技術を通したファイル転送。
【００６２】
具体的に、移動マルチメディアサービスのアクセスレイヤを通したマルチキャストは、ＤＶＢ−Ｈ、ＭＢＭＳからＢＣＭＣＳに及ぶいくつかの技術を含む。
アクセスレイヤに独立なマルチキャストはＦＬＵＴＥ技術によって実現される。
【００６３】
ステップ７０３：コンテンツサーバからメディアコンテンツが取得される。
この実施形態において、コンテンツサーバからメディアコンテンツが取得される。メディアコンテンツは、実際の適用においてコンテンツサーバなしで端末内に直接に予め設定されうることが理解される。
【００６４】
ステップ７０４：ＳＧデータを生成するためにＳＧ情報が解析される。すなわち、ＳＧデータを生成するために受信されたＳＧ情報が解析される。
【００６５】
ステップ７０５：ＳＧデータおよびプレゼンテーションテンプレート情報に従ってプレゼンテーションスクリプト情報が生成される。
この実施形態において、プレゼンテーションスクリプト情報を生成するために、プレゼンテーションテンプレート情報に関する規則に従って、対応する位置に取得されたＳＧデータが満たされ、これはＨＴＭＬのプレゼンテーションスクリプト情報を提示するために使用される。
この実施形態において、プレゼンテーションテンプレート情報は、規則ファイルまたは他の任意のファイルのいずれかでありうる。
【００６６】
ステップ７０６：ブラウザによってプレゼンテーションスクリプトファイルが再生される。
この実施形態において、ブラウザを使用することによって、端末はユーザにメディアコンテンツを表示し、これはステップ７０５において生成されたブラウザのフォーマットにおけるプレゼンテーションスクリプトファイルである。
【００６７】
ステップ７０７：ユーザの選択に従ってメディアコンテンツが再生される。
ステップ７０６で説明したように、ブラウザによって再生される移動マルチメディアサービスコンテンツは主にＳＧのコンテンツに関する。ユーザが移動マルチメディアコンテンツをクリックするとき、端末は対応するプレイヤーを呼び出して映像のようなメディアコンテンツを再生する。この処理は次の２つの方法で実現される。
１．ウェブブラウザによって映像プレイヤーを呼び出す。マルチメディアサービスの提示のためにウェブブラウザの対応する領域においてユーザがクリックし、映像プレイヤーの呼び出しが開始されるとき、端末のソフトウェアシステムは対応する映像プレイヤーを実行し、ウェブブラウザを一時停止する。
２．ウェブブラウザ内に映像プレイヤーを埋め込む。プレゼンテーションインタフェースが映像プレイヤー内に埋め込まれるならば、ウェブブラウザは同時に実行される。映像コンテンツを見る間、端末ユーザは他の情報を閲覧することもできる。
映像コンテンツを再生することに加えて、これらの上述した方法は他のいくつかのコンテンツを再生するためにも使用される。
【００６８】
この実施形態において、ＳＧサーバ、プレゼンテーションサーバ、および、コンテンツサーバは互いから独立している。独立のサーバは全ての機能を実行する責任を負わず、サーバはそれらの役割に従って論理的または物理的に統合されうることが理解される。例えば、ＳＧサーバおよびプレゼンテーションサーバは移動マルチメディアプレゼンテーションシステムに統合されうる。
【００６９】
従って、移動マルチメディアプレゼンテーションシステムはＳＧ情報およびプレゼンテーションテンプレート情報を取得し、ＳＧ情報を解析してＳＧデータを生成する。プレゼンテーションスクリプト情報を生成するためにプレゼンテーションテンプレート情報に関する規則に従って、対応する位置に取得されたＳＧデータが満たされ、これはＳＭＩＬ、ＳＶＧ、または、Ｆｌａｓｈ Ｌｉｔｅを表示するために使用される。
【００７０】
プレゼンテーションスクリプト情報を生成した後、移動マルチメディアプレゼンテーションシステムはプレゼンテーションスクリプト情報をプレゼンテーションファイルに追加し、端末にそのファイルを伝送し、そのファイルは配送前に圧縮することができる。
特に、プレゼンテーションファイルの送信はユニキャストおよびマルチキャスト／ブロードキャストの形態に分けることができる。
【００７１】
プレゼンテーションファイルを伝送するためのユニキャストの形態は次の技術を利用する。
一般的なプッシュ技術およびＳＩＰプッシュ技術を含むプッシュ、
ＨＴＴＰのようなインターネットプロトコル、
ＭＭＳおよびＩＭのような技術、
ＰＳＳ（ストリーミング）のＲＴＰ／ＲＴＣＰ技術。
【００７２】
プレゼンテーションファイルを伝送するためのマルチキャストの形態は次の技術を利用する。
ＤＶＢ−Ｈのメディアストリーム／ＦＬＵＴＥ技術、
ＭＢＭＳのメディアストリーム／ＦＬＵＴＥ技術、
ＢＣＭＣＳのメディアストリーム／ＦＬＵＴＥ技術、
ＩＰを基にしたＦＬＵＴＥ技術。
【００７３】
プレゼンテーションファイルを受信した後、端末はファイルを復元し、プレイヤーのために元のプレゼンテーションスクリプトファイルを回復する。例えば、ＳＭＩＬの形態に関して、ＳＭＩＬスクリプトファイルは、復元の後、ＳＭＩＬプレイヤーのために回復される。端末は対応するメディアプレイヤーに回復されたスクリプトファイルを伝送する。
【００７４】
対応する移動マルチメディアサービスのプレゼンテーションスクリプトファイルを受信した後、メディアプレイヤーはコンテンツを再生し、ユーザに移動マルチメディアサービスの関係するコンテンツを表示する。
【００７５】
ステップ７０７と同様に、メディアコンテンツを再生するための処理は省略する。
【００７６】
この実施形態において、ユーザは次のようにサーバと通信することもできる。
メディアコンテンツを提示する間、端末によって対話の要求を送信し、
対話情報が有効にされることを選択し、端末によって要求されたように対話情報を編集し、
サーバに完成した対話情報を送信し、
サーバによって端末に対話の応答を返送し、
対話の応答に従ってユーザに対応するメディアコンテンツを提示する。
【００７７】
ＳＧおよびメディアコンテンツを取得するための方法はこの実施形態に限定されず、状況に応じて実現することができる。
この実施形態において、データ送信の量を減少させ、ネットワーク性能を向上させるために、配送前にプレゼンテーションファイルが圧縮される。
さらに、この実施形態においてユーザとサーバの間の対話は、ユーザ体験を向上させるために役立つ。
【００７８】
III．ローカルアプリケーションに基づくメディアプレゼンテーションの形態を以下で詳しく説明する。
端末の異なる機能に従って、この解決手段は３つのカテゴリに分けられる。
【００７９】
Ａ．第１のカテゴリはＳＧの閲覧機能を実行することに言及する。
図８を参照する。本発明の一実施形態におけるメディアサービスプレゼンテーション方法の第３実施形態は次を含む。
【００８０】
ステップ８０１：ＳＧサーバからＳＧ情報が取得される。
この実施形態において、ＳＧ情報は２つの形態：ブロードキャストおよび対話型で送信される。
【００８１】
ブロードキャストの形態でＳＧを探索する：ＳＧのブートストラップセッションを伝達するパブリックアドレスは、端末が、異なる運営者からＳＧのアクセス情報を見つけることを可能とする。端末はこの情報に従ってＳＧの宣言セッションを見つけ、そのセッションを通してＳＧの送信記述子を取得する。例えば、その記述子は、ＦＬＵＴＥのエントリアドレスを見つけ、さらに、ＳＧ情報のコンテンツを取得することができる。
ブロードキャストの形態でＳＧを送信する：ＳＧ伝送部は、ＳＧをブロードキャストするために、１つまたは複数のＦＬＵＴＥセッションの中で情報を送信する。
【００８２】
対話型の経路は全部のＳＧ情報を取得することができ、また、要求されるＳＧ情報の一部の探索および取得において端末を補助することができる。
対話型の形態によってＳＧを探索するために２つの形態が利用される。
１．対話型ネットワークからＳＧのエントリ情報を探索する。
端末ユーザは対話型ネットワークを通して既知のＳＧポータルを訪問し、好みのＳＧ情報を訪問およびダウンロードすることを選択する。
２．ブロードキャストネットワークを通して対話型のＳＧ情報を探索する。
端末ユーザはブロードキャストネットワークからブートストラップセッションを受信する。サービスナビゲーションサーバが対話型のＳＧを提供するならば、端末ユーザはブートストラップセッションを通して対話型のＳＧに関するエントリ情報を取得し、ポータルからＳＧを訪問およびダウンロードすることができる。
【００８３】
対話型のＳＧは次の方法で伝送および取得される：端末は、ＨＴＴＰ ＧＥＴまたはＨＴＴＰ ＰＯＳＴを通してＳＧサーバにコンテンツを探索する要求を送信する。要求を受信した後、ＳＧサーバはＨＴＴＰ応答を通してペイロード内で対応するＳＧデータを返送する。端末は、１つの対話を通して、チャネルまたは番組に関する情報を含むＳＧ情報の全部または一部を取得することができる。
【００８４】
ステップ８０２：プレゼンテーションサーバからプレゼンテーションテンプレート情報が取得される。
この実施形態において、プレゼンテーションサーバからプレゼンテーションテンプレート情報が取得される。従って、プレゼンテーションサーバが設置されないならば、プレゼンテーションテンプレート情報は端末内に予め設定されうることが理解される。
プレゼンテーションサーバは、プレゼンテーションサーバの種類を表わすためにテキストまたは記号を使用する。例えば、ローカル端末のために種類を定義するため、‘１’、‘２’、または、‘３’のようないくつかの数字が使用される。プレゼンテーションサーバが利用可能ならば、プレゼンテーションテンプレート情報は次の方法で取得される。
プッシュメカニズム、
ＤＣＤを含むコンテンツ配送メカニズム、
ＨＴＴＰのようなインターネットプロトコル、
ＭＭＳ、ＳＭＳ、または、ＩＭのようなメッセージメカニズム。
【００８５】
ステップ８０３：コンテンツサーバからメディアコンテンツが取得される。
この実施形態において、コンテンツサーバからメディアコンテンツが取得される。従って、メディアコンテンツは、実際の適用においてコンテンツサーバなしで端末内に直接に予め設定されうることが理解される。
【００８６】
ステップ８０４：ＳＧデータを生成するためにＳＧ情報が解析される。すなわち、ＳＧデータを生成するために受信されたＳＧ情報が解析される。
【００８７】
ステップ８０５：ＳＧデータおよびプレゼンテーションテンプレート情報に従ってプレゼンテーションスクリプト情報が生成される。
この実施形態において、プレゼンテーションスクリプト情報を生成するために、プレゼンテーションテンプレート情報に関する規則に従って、対応する位置に取得されたＳＧデータが満たされ、これはＨＴＭＬを提示するために使用される。
この実施形態において、プレゼンテーションテンプレート情報は、規則ファイルまたは他の任意のファイルのいずれかでありうる。
【００８８】
ステップ８０６：ネイティブアプリケーションモジュールを通してプレゼンテーションスクリプト情報がユーザインタフェースに送信される。
【００８９】
ステップ８０７：提示のために対応するＧＵＩが呼び出される。
【００９０】
この実施形態において、ＳＧサーバ、プレゼンテーションサーバ、および、コンテンツサーバは互いから独立している。独立のサーバは全ての機能を実行する責任を負わず、サーバはそれらの役割に従って論理的または物理的に統合されうることが理解される。例えば、ＳＧサーバおよびプレゼンテーションサーバは移動マルチメディアプレゼンテーションシステムに統合されうる。
【００９１】
上述した実施形態と同様に、この実施形態の実装は省略する。
この実施形態において、ローカル端末の機能を活用し、統一されたＵＩを定義し、サーバから取得されたデータを使用することによってデータが端末上に提示される。この解決策が実現される前に、ＵＩがカスタマイズされなければならず、端末の機能に基づいて特定のクライアントソフトウェアが開発されなければならない。
具体的に、ソフトウェア構造は、ネットワークアクセス、ＳＧクライアント、および、ＭＭＩ（Man Machine Interface）レイヤに分けられる。ＳＧのＸＭＬファイルは、ＦＬＵＴＥまたはＨＴＴＰの形態でネットワークサーバから端末に配送される。ＳＧ情報を受信した後、端末はＳＧ情報を解析することを開始する。
ＳＧデータおよびプレゼンテーションテンプレート情報を処理した後、端末は、ＳＧプレイヤーにプレゼンテーションスクリプトデータを配送し、ＭＭＩを通した提示のために対応するＧＵＩを呼び出す。
ＳＧおよびメディアコンテンツを取得するための方法はこの実施形態に限定されず、状況に応じて実現することができる。
【００９２】
Ｂ．第２のカテゴリはメディアコンテンツを閲覧および再生するためのＳＧの機能を実現することに言及する。
図９を参照する。本発明の一実施形態におけるメディアサービスプレゼンテーション方法の第４実施形態は次を含む。
【００９３】
ステップ９０１：ＳＧサーバからＳＧ情報が取得される。
この実施形態において、ＳＧ情報は２つの形態：ブロードキャストおよび対話型で送信される。
【００９４】
ブロードキャストの形態でＳＧを探索する：ＳＧのブートストラップセッションを伝達するパブリックアドレスは、端末が、異なる運営者からＳＧのアクセス情報を見つけることを可能とする。端末はこの情報に従ってＳＧの宣言セッションを見つけ、宣言セッションを通してＳＧの送信記述子を取得する。例えば、その記述子は、ＦＬＵＴＥのエントリアドレスを見つけ、さらに、ＳＧ情報のコンテンツを取得することができる。
ブロードキャストの形態でＳＧを送信する：ＳＧ伝送部は、ＳＧをブロードキャストするために、１つまたは複数のＦＬＵＴＥセッションの中で情報を送信する。
【００９５】
対話型の経路は全部のＳＧ情報を取得することができ、また、要求されるＳＧ情報の一部の探索および取得において端末を補助することができる。
対話型のＳＧの探索は２つの形態に分けられる。
１．対話型ネットワークからＳＧのエントリ情報を探索する。
端末ユーザは対話型ネットワークを通して既知のＳＧポータルを訪問し、好みのＳＧ情報を訪問およびダウンロードすることを選択する。
２．ブロードキャストネットワークを通して対話型のＳＧ情報を探索する。
端末ユーザはブロードキャストネットワークからブートストラップセッションを受信する。サービスナビゲーションサーバが対話型のＳＧを提供するならば、端末ユーザはブートストラップセッションを通して対話型のＳＧに関するエントリ情報を取得し、ポータルを通してＳＧを訪問およびダウンロードする。
【００９６】
対話型のＳＧは次の方法で伝送および取得される：端末は、ＨＴＴＰ ＧＥＴまたはＨＴＴＰ ＰＯＳＴを通してＳＧサーバにコンテンツを探索する要求を送信する。要求を受信した後、ＳＧサーバはＨＴＴＰ応答を通してペイロード内で対応するＳＧデータを返送する。端末は、１つの対話を通して、チャネルまたは番組に関する情報を含むＳＧ情報の全部または一部を取得することができる。
【００９７】
ステップ９０２：プレゼンテーションサーバからプレゼンテーションテンプレート情報が取得される。
この実施形態において、プレゼンテーションサーバからプレゼンテーションテンプレート情報が取得される。従って、プレゼンテーションサーバが設置されないならば、プレゼンテーションテンプレート情報は端末内に予め設定されうることが理解される。
プレゼンテーションサーバは、プレゼンテーションサーバの種類を表わすためにテキストまたは記号を使用する。例えば、ローカル端末のために種類を定義するため、‘１’、‘２’、または、‘３’のようないくつかの数字が使用される。
プレゼンテーションサーバが利用可能ならば、プレゼンテーションテンプレート情報は次の方法で取得される。
プッシュメカニズム、
ＤＣＤを含むコンテンツ配送メカニズム、
ＨＴＴＰのようなインターネットプロトコル、
ＭＭＳ、ＳＭＳ、または、ＩＭのようなメッセージメカニズム。
【００９８】
ステップ９０３：コンテンツサーバからメディアコンテンツが取得される。
この実施形態において、コンテンツサーバによるメディアコンテンツが取得される。従って、メディアコンテンツは、実際の適用においてコンテンツサーバなしで端末内に直接に予め設定されうることが理解される。
【００９９】
ステップ９０４：ＳＧデータを生成するためにＳＧ情報が解析される。すなわち、ＳＧデータを生成するために受信されたＳＧ情報が解析される。
【０１００】
ステップ９０５：ＳＧデータおよびプレゼンテーションテンプレート情報に従ってプレゼンテーションスクリプト情報が生成される。
この実施形態において、プレゼンテーションスクリプト情報を生成するために、プレゼンテーションテンプレート情報に関する規則に従って、対応する位置に取得されたＳＧデータが満たされ、これはＨＴＭＬを提示するために使用される。
この実施形態において、プレゼンテーションテンプレート情報は、規則ファイルまたは他の任意のファイルのいずれかでありうる。
【０１０１】
ステップ９０６：ネイティブアプリケーションモジュールを通してプレゼンテーションスクリプト情報がユーザインタフェースに送信される。
【０１０２】
ステップ９０７：提示のために対応するＧＵＩが呼び出される。
【０１０３】
ステップ９０８：ダウンロードエンジンによってメディアコンテンツがダウンロードされる。
【０１０４】
ステップ９０９：受信されたメディアコンテンツが再生される。
【０１０５】
この実施形態において、ＳＧサーバ、プレゼンテーションサーバ、および、コンテンツサーバは互いから独立している。独立のサーバは全ての機能を実行する責任を負わず、これらのサーバはそれらの役割に従って論理的または物理的に統合されうることが理解される。例えば、ＳＧサーバおよびプレゼンテーションサーバは移動マルチメディアプレゼンテーションシステムに統合されうる。
【０１０６】
上述した実施形態と同様に、この実施形態の実装は省略する。
この実施形態において、ローカル端末の機能を活用し、統一されたＵＩを定義し、サーバから取得されたデータを使用することによってデータが端末上に提示される。この解決策が実現される前に、ＵＩがカスタマイズされなければならず、端末の機能に基づいて特定のクライアントソフトウェアが開発されなければならない。
【０１０７】
具体的に、この実施形態の主な処理は上述した実施形態と同様である。差異は端末の機能および構造にある。
この実施形態において、端末は、サーバ、ローカル端末、または、サーバからのＣＬＩＰ（クリップ画像）から取得することが可能なメディアコンテンツを再生し、ローカルな送信先において再生を完了することが要求される。
従って、端末は次の３つのレイヤに分けられる：ＳＧおよびメディアコンテンツを伝送するように構成された低位レイヤ、ソフトウェアのための中間適合レイヤ、および、マルチメディアプレゼンテーションのためのアプリケーションレイヤ。
ＳＧデータのための端末の処理方法は、上述した実施形態と同様である。ＳＧのアプリケーションは、ＳＧの再生機能に基づいて補強される。
【０１０８】
端末の移動マルチメディアサービスプレゼンテーションは、マルチメディアプレゼンテーションのためのアプリケーション部によって実行される。ＳＧを提示する間、移動マルチメディアサービスのあるメディアコンテンツ、例えば映像が提示を実行することを必要とするならば、マルチメディアプレゼンテーションのためのアプリケーション部は、対応するダウンロードエンジンおよびマルチメディアプレイヤーを呼び出して関係するコンテンツをダウンロードおよび再生し、そしてマルチメディアサービスを提示する。
マルチメディアプレゼンテーションアプリケーションはローカル端末のアプリケーションによって実現されるので、プレイヤーに埋め込まれたＧＵＩまたは他の新たなＧＵＩが実装のために使用されうる。
ＳＧおよびメディアコンテンツを取得するための方法はこの実施形態に限定されず、状況に応じて実現することができる。
【０１０９】
Ｃ．第３のカテゴリは、メディアコンテンツを閲覧、再生し、端末とサーバの間の対話を提供するためのＳＧの機能を実現することに言及する。
図１０を参照する。本発明の一実施形態におけるメディアサービスプレゼンテーション方法の第５実施形態は次を含む。
【０１１０】
ステップ１００１：ＳＧサーバからＳＧ情報が取得される。
この実施形態において、ＳＧ情報は２つの形態：ブロードキャストおよび対話型で送信される。
【０１１１】
ブロードキャストの形態でＳＧを探索する：ＳＧのブートストラップセッションを伝達するパブリックアドレスは、端末が、異なる運営者からＳＧのアクセス情報を見つけることを可能とする。端末はこの情報に従ってＳＧの宣言セッションを見つけ、宣言セッションを通してＳＧの送信記述子を取得する。例えば、その記述子は、ＦＬＵＴＥのエントリアドレスを見つけ、さらに、ＳＧ情報のコンテンツを取得することができる。
ブロードキャストの形態でＳＧを送信する：ＳＧ伝送部は、ブロードキャストの形態でＳＧを送信するために、１つまたは複数のＦＬＵＴＥセッションの中で伝送を実行する。
【０１１２】
対話型の経路は全部のＳＧ情報を取得することができ、また、要求されるＳＧ情報の一部の探索および取得において端末を補助することができる。
対話型のＳＧの探索は２つの形態に分けられる。
１．対話型ネットワークからＳＧのエントリ情報を探索する。
端末ユーザは対話型ネットワークを通して既知のＳＧポータルを訪問し、好みのＳＧ情報を訪問およびダウンロードすることを選択する。
２．ブロードキャストネットワークを通して対話型のＳＧ情報を探索する。
端末ユーザはブロードキャストネットワークからブートストラップセッションを受信する。サービスナビゲーションサーバが対話型のＳＧを提供するならば、端末ユーザはブートストラップセッションを通して対話型のＳＧに関するエントリ情報を取得し、ポータルを通してＳＧを訪問およびダウンロードする。
【０１１３】
対話型のＳＧは次の方法で伝送および取得される：端末は、ＨＴＴＰ ＧＥＴまたはＨＴＴＰ ＰＯＳＴを通してＳＧサーバにコンテンツを探索する要求を送信する。要求を受信した後、ＳＧサーバはＨＴＴＰ応答を通してペイロード内で対応するＳＧデータを返送する。端末は、１つの対話を通して、チャネルまたは番組に関する情報を含むＳＧ情報の全部または一部を取得することができる。
【０１１４】
ステップ１００２：プレゼンテーションサーバからプレゼンテーションテンプレート情報が取得される。
この実施形態において、プレゼンテーションサーバからプレゼンテーションテンプレート情報が取得される。従って、プレゼンテーションサーバが設置されないならば、プレゼンテーションテンプレート情報は端末内に予め設定されうることが理解される。
プレゼンテーションサーバは、プレゼンテーションサーバの種類を表わすためにテキストまたは記号を使用する。例えば、ローカル端末のために種類を定義するため、‘１’、‘２’、または、‘３’のようないくつかの数字が使用される。
プレゼンテーションサーバが与えられると、プレゼンテーションテンプレート情報は次の方法で取得される。
プッシュメカニズム、
ＤＣＤを含むコンテンツ配送メカニズム、
ＨＴＴＰのようなインターネットプロトコル、
ＭＭＳ、ＳＭＳ、または、ＩＭのようなメッセージメカニズム。
【０１１５】
ステップ１００３：コンテンツサーバからメディアコンテンツが取得される。
この実施形態において、コンテンツサーバによるメディアコンテンツが取得される。従って、メディアコンテンツは、実際の適用においてコンテンツサーバなしで端末内に直接に予め設定されうることが理解される。
【０１１６】
ステップ１００４：ＳＧデータを生成するためにＳＧ情報が解析される。すなわち、ＳＧデータを生成するために受信されたＳＧ情報が解析される。
【０１１７】
ステップ１００５：ＳＧデータおよびプレゼンテーションテンプレート情報に従ってプレゼンテーションスクリプト情報が生成される。
この実施形態において、プレゼンテーションスクリプト情報を生成するために、プレゼンテーションテンプレート情報に関する規則に従って、対応する位置に取得されたＳＧデータが満たされ、これはＨＴＭＬを提示するために使用される。
この実施形態において、プレゼンテーションテンプレート情報は、規則ファイルまたは他の任意のファイルのいずれかでありうる。
【０１１８】
ステップ１００６：ネイティブアプリケーションモジュールを通してプレゼンテーションスクリプト情報がユーザインタフェースに送信される。
【０１１９】
ステップ１００７：提示のために対応するＧＵＩが呼び出される。
【０１２０】
ステップ１００８：ダウンロードエンジンによってメディアコンテンツがダウンロードされる。
【０１２１】
ステップ１００９：受信されたメディアコンテンツが再生される。
【０１２２】
ステップ１０１０：対話の要求が受信される。すなわち、ユーザからの対話の要求、例えば、遅い動作の要求が受信される。
【０１２３】
ステップ１０１１：対話の要求がサーバに転送される。さらに、ユーザの対話の要求がサーバに転送される。
【０１２４】
ステップ１０１２：対話の応答がサーバから受信される。対話の応答およびコンテンツオンデマンドを通してサーバは端末に必要なコンテンツを送信することができる。
【０１２５】
ステップ１０１３：対話の応答に従って、対応するメディアコンテンツがユーザに提示される。
【０１２６】
この実施形態において、ＳＧサーバ、プレゼンテーションサーバ、および、コンテンツサーバは互いから独立している。独立のサーバは全ての機能を実行する責任を負わず、これらのサーバはそれらの役割に従って論理的または物理的に統合されうることが理解される。例えば、ＳＧサーバおよびプレゼンテーションサーバは移動マルチメディアプレゼンテーションシステムに統合されうる。
【０１２７】
上述した実施形態と同様に、この実施形態の実装は省略する。
この実施形態において、ローカル端末の機能を活用し、統一されたＵＩを定義し、サーバから取得されたデータを使用することによってデータが端末上に提示される。この解決策が実現される前に、ＵＩがカスタマイズされなければならず、端末の機能に基づいて特定のクライアントソフトウェアが開発されなければならない。
【０１２８】
この実施形態において、対話について責任を持つアプリケーション部が使用される。このアプリケーション部は、移動マルチメディアサービスプレゼンテーションの間、対話のために常に準備されている。このアプリケーション部は、起動されると、ＨＴＴＰ、ＲＴＰ／ＲＴＣＰ、ＳＭＳ、ＭＭＳ、および、ＩＭのような低位レイヤの技術を呼び出してサーバと通信し、関係する対話を実行する。
【０１２９】
ＳＧおよびメディアコンテンツを取得するための方法はこの実施形態に限定されず、状況に応じて実現することができる。
【０１３０】
上述した実施形態を通して、この技術分野の当業者には、ソフトウェアおよびハードウェアの組み合わせ、または、ハードウェアのみによって本発明を実現することが明らかである。そのような理解に基づいて、本発明において特定された解決策は、背景技術の欄で説明した技術に寄与したソフトウェアの全部または一部を説明する。ソフトウェア製品はＲＯＭ／ＲＡＭ、ディスクから光ディスクに及び、記憶媒体に記憶することができる。これらの製品は、パーソナルコンピュータ、サーバのようなコンピュータ、または、ネットワーク機器が本発明の実施形態において提供された各々の実装または方法を実現することを可能とする。
【０１３１】
本発明において上述した実施形態が与えられる。この技術分野の当業者は、本発明の原理から逸脱することなく本発明に様々な改良および変更を行うことができることが明らかである。本発明はこれらの改良および変更を含む。
【符号の説明】
【０１３２】
１０１  ・・・  ＳＧサーバ
１０２  ・・・  プレゼンテーションサーバ
１０３、２０２  ・・・  端末
１０４、２０３  ・・・  コンテンツサーバ
２０１  ・・・  移動マルチメディアプレゼンテーションシステム
３０１  ・・・  取得部
３０２  ・・・  スクリプト生成部
３０２１  ・・・  解析部
３０２２  ・・・  生成部
３０３  ・・・  プレゼンテーション部
４０１  ・・・  ＳＧエンジン
４０１１  ・・・  ＳＧプレゼンテーションのための制御部
４０１２  ・・・  ＳＧ解析部
４０２  ・・・  マルチメディアプレゼンテーションのためのアプリケーション部
４０３  ・・・  ネットワーク通信部
４０４  ・・・  ダウンロードエンジン
４０５  ・・・  マルチメディア再生部
４０６  ・・・  対話部
４０７  ・・・  サービスプレイヤー
４０８  ・・・  ブラウザ
【図１】
2010534362.tif 000003
【図２】
2010534362.tif 000004
【図３】
2010534362.tif 000005
【図４】
2010534362.tif 000006
【図５】
2010534362.tif 000007
【図６】
2010534362.tif 000008
【図７】
2010534362.tif 000009
【図８】
2010534362.tif 000010
【図９】
2010534362.tif 000011
【図１０】
2010534362.tif 000012
【手続補正書】
【提出日】平成22年1月13日(2010.1.13)
【手続補正１】
【補正対象書類名】特許請求の範囲
【補正対象項目名】全文
【補正方法】変更
【補正の内容】
【特許請求の範囲】
【請求項１】
メディアコンテンツおよびプレゼンテーションスクリプト情報を取得する過程と、
前記プレゼンテーションスクリプト情報に従ってユーザにメディアコンテンツを提示する過程と、
を有するメディアサービスプレゼンテーション方法。
【請求項２】
前記プレゼンテーションスクリプト情報を取得する過程は、
サービスガイド（ＳＧ）情報およびプレゼンテーションテンプレート情報を取得し、前記ＳＧ情報および前記プレゼンテーションテンプレート情報に従ってプレゼンテーションスクリプト情報を生成する過程、または、
プレゼンテーションスクリプト情報を含むプレゼンテーションファイルを取得し、前記プレゼンテーションファイルから前記プレゼンテーションスクリプト情報を取得する過程、
を有する請求項１に記載の方法。
【請求項３】
前記ＳＧ情報および前記プレゼンテーションテンプレート情報に従ってプレゼンテーションスクリプト情報を生成する過程は、
前記ＳＧ情報を解析してＳＧデータを生成する過程と、
前記プレゼンテーションテンプレート情報に従って前記ＳＧデータを前記プレゼンテーションスクリプト情報に変換する過程と、
を有する請求項２に記載の方法。
【請求項４】
前記ＳＧ情報を取得する過程は、
ＦＬＵＴＥセッションのブロードキャストを通してＳＧサーバから前記ＳＧ情報を含む拡張マークアップ言語（ＸＭＬ）ファイルを受信する過程、または、
対話型ネットワークまたはブロードキャストネットワークから前記ＳＧ情報に関するエントリ情報を取得し、前記エントリ情報に従ってＳＧサーバのコンテンツを要求し、前記ＳＧサーバから前記ＳＧ情報を含むＸＭＬファイルを受信する過程、または、
ＦＬＵＴＥセッションのブロードキャストを通してＳＧサーバから圧縮されたＳＧ情報を含むＸＭＬファイルを受信し、前記圧縮されたＳＧ情報を復元して前記ＳＧ情報を取得する過程、または、
対話型ネットワークまたはブロードキャストネットワークを通して前記ＳＧ情報に関するエントリ情報を取得し、前記エントリ情報に従ってＳＧサーバのコンテンツを要求し、前記ＳＧサーバから圧縮されたＳＧ情報を含むＸＭＬファイルを受信し、前記圧縮されたＳＧ情報を復元して前記ＳＧ情報を取得する過程、
を有する請求項２に記載の方法。
【請求項５】
前記プレゼンテーションスクリプト情報はプレイヤーのフォーマットにおけるプレゼンテーションスクリプトファイルから導き出され、前記プレゼンテーションスクリプト情報に従ってユーザにメディアコンテンツを提示する過程は、前記プレイヤーを使用して前記プレゼンテーションスクリプト情報を再生し、前記ユーザに前記メディアコンテンツを提示する過程を含み、または、
前記プレゼンテーションスクリプト情報はブラウザのフォーマットにおけるプレゼンテーションスクリプトファイルから導き出され、前記プレゼンテーションスクリプト情報に従ってユーザにメディアコンテンツを提示する過程は、前記ブラウザを使用して前記プレゼンテーションスクリプト情報を再生し、前記ユーザに前記メディアコンテンツを提示する過程を有する請求項１に記載の方法。
【請求項６】
前記プレゼンテーションスクリプト情報を再生する過程は、
ビデオプレイヤーを呼び出して前記プレゼンテーションスクリプト情報を再生する過程、または、
埋め込まれたビデオプレイヤーを呼び出して前記プレゼンテーションスクリプト情報を再生する過程、または、
ネイティブアプリケーションモジュールによってユーザインタフェースに前記プレゼンテーションスクリプト情報を送信し、対応するグラフィカルユーザインタフェース（ＧＵＩ）を呼び出して前記グラフィカルユーザインタフェース上に前記プレゼンテーションスクリプトファイルを提示する過程、
を有する請求項５に記載の方法。
【請求項７】
ユーザに前記メディアコンテンツを提示する過程は、
ダウンロードエンジンを呼び出して対応するメディアコンテンツをダウンロードする過程と、
マルチメディアプレイヤーを呼び出して前記ダウンロードされたメディアコンテンツを再生する過程と、
を有する請求項１に記載の方法。
【請求項８】
前記メディアコンテンツを取得する過程は、
ユーザの対話の要求を受信し、前記要求を予め設定されたデータ伝送プロトコルを通してサーバに転送し、前記ユーザの対話の要求に基づいて前記サーバによって送信されたメディアコンテンツを受信する過程、または、
端末から対話の要求を受信し、前記対話の要求に従って対応する対話情報を有効にし、かつ、編集し、前記サーバに前記編集された対話情報を送信し、前記ユーザの対話の要求に基づいて前記サーバによって送信されたメディアコンテンツを受信する過程、
を有する請求項１に記載の方法。
【請求項９】
前記プレゼンテーションファイルはストリームプロトコルを通して伝送され、または、前記プレゼンテーションファイルはダウンロードプロトコルを通して伝送され、または、前記プレゼンテーションファイルはプッシュメカニズム、ＤＣＤ配送メカニズム、または、リアルタイム通信メカニズムによって伝送される請求項２に記載の方法。
【請求項１０】
サービスガイド（ＳＧ）情報およびプレゼンテーションテンプレート情報を取得し、前記ＳＧ情報および前記プレゼンテーションテンプレート情報に従ってプレゼンテーションスクリプト情報を生成し、前記プレゼンテーションスクリプト情報を含むプレゼンテーションファイルを配送するように構成された移動マルチメディアプレゼンテーションシステムと、
前記移動マルチメディアプレゼンテーションシステムにおけるプレゼンテーションファイルから取得されたプレゼンテーションスクリプト情報を受信し、前記プレゼンテーションスクリプト情報に従ってユーザにメディアコンテンツを提示するように構成された端末と、
を備え、または、
ＳＧ情報およびプレゼンテーションテンプレート情報を含む拡張マークアップ言語（ＸＭＬ）ファイルを配送するように構成された移動マルチメディアプレゼンテーションシステムと、
ＳＧサーバからのＳＧ情報およびプレゼンテーションサーバからのプレゼンテーションテンプレート情報に従ってプレゼンテーションスクリプト情報を生成し、前記プレゼンテーションスクリプト情報に従ってユーザにメディアコンテンツを提示するように構成された端末と、
を備える通信システム。
【請求項１１】
前記端末にメディアコンテンツを配送するように構成されたコンテンツサーバをさらに備える請求項１０に記載の通信システム。
【請求項１２】
プレゼンテーションスクリプト情報およびメディアコンテンツを取得するように構成された取得部と、
前記取得部によって取得されたプレゼンテーションスクリプト情報を通して前記メディアコンテンツを提示するように構成されたプレゼンテーション部と、
を備える端末。
【請求項１３】
前記取得部はスクリプト生成部を備え、
前記スクリプト生成部は、
サービスガイド（ＳＧ）情報およびプレゼンテーションテンプレート情報を取得するように構成された第２取得部と、
前記取得部によって取得されたＳＧ情報およびプレゼンテーションテンプレート情報に従ってプレゼンテーションスクリプト情報を生成するように構成された生成部と、
を備える請求項１２に記載の端末。
【請求項１４】
ユーザによって要求されたメディアコンテンツをダウンロードするように構成されたダウンロードエンジンをさらに備える請求項１２に記載の端末。
【請求項１５】
前記メディアコンテンツが再生されるとき、前記端末と前記サーバとの間の対話情報を配送するように構成された対話部をさらに備える請求項１２に記載の端末。
【請求項１６】
前記ユーザのためにプレゼンテーションスクリプトファイルを再生するように構成されたサービスプレイヤーをさらに備え、該プレゼンテーションスクリプトファイルはプレイヤーのフォーマットであり、
前記ユーザのためにプレゼンテーションスクリプトファイルを再生するように構成されたブラウザをさらに備え、該プレゼンテーションスクリプトファイルはブラウザのフォーマットである請求項１２に記載の端末。
【国際調査報告】
2010534362.tif 000013
2010534362.tif 000014
2010534362.tif 000015
2010534362.tif 000016